(57)【要約】【課題】冬季の換気において外気の給気により給気装置に結露が生じても水滴を床面等に落下させず、給気装置の外観の低下も防止可能であり、居住者に直接冷気を当てないで換気を行うことが可能な給気装置を提供することを目的とする。【解決手段】  部屋の壁３に装着され、給気ファン１１と給気グリル８とを有する換気扇１において、給気グリル８から吐出される外気を給気グリル８の表面に沿って案内した後、給気グリル８の外周部の何れかから放出するカバー１５を設け、カバー１５の下部に給気グリル８の下部に延びて水滴を受ける受け部１８を形成した。【選択図】  図１
2006029696.tif 000002
【特許請求の範囲】
【請求項１】
部屋の側壁若しくは窓等に装着され、外気を取り入れて給気口から室内に給気する給気装置において、前記給気口を有する給気グリルの前面部に沿って外気を案内した後、案内した外気を前記給気グリルの外周部から放出するカバーを設け、該カバーの下部に前記給気グリルの下部に延びて水滴を受ける受け部を形成したことを特徴とする給気装置。
【請求項２】
請求項１の給気装置において、前記カバーは、前記給気グリルから取り外し可能とされていることを特徴とする給気装置。
【請求項３】
請求項１、２の何れかの給気装置において、前記カバーに小孔が形成されていることを特徴とする給気装置。
【請求項４】
部屋の側壁若しくは窓等に装着され、外気を室内に給気する給気グリルを備えた給気装置に装着されるカバーであって、前記給気グリルから吐出される外気を前記給気グリルの表面に沿って案内した後、前記給気グリルの外周部から放出する前面部と、該前面部の下部から前記給気グリルの下部に延びて水滴を受ける受け部とを有することを特徴とするカバー。
【発明の詳細な説明】
【技術分野】
【０００１】
本発明は、例えば、軸流送風機を備えると共に、壁面等に設置される給気装置に関する。
【背景技術】
【０００２】
従来から、パイプファンと称される軸流送風機を備えた給気装置が知られている（例えば、特許文献１参照。）。
【０００３】
この給気装置は、例えば、マンション等の壁面に形成された円形の開口部に設置されるものであり、円形開口部に嵌合するように装着される円形のフレームと、プロペラファンと、このプロペラファンを回転させるモーターとを有する。円形のフレーム内には円形の中央部で交差する十字型の支柱が取り付けられており、この支柱の交差部分にモーターが取り付けられている。プロペラファンはモーターの回転軸に取り付けられており、プロペラファンが室内に露出する部分には、細長く形成した空気の吹出口を多数形成した給気グリルが設けられ、プロペラファンの送風する空気が吹出口から室内に給気されるようになっている。
【特許文献１】特開２０００ー３４６４１１号公報
【発明の開示】
【発明が解決しようとする課題】
【０００４】
しかしながら、このような従来の給気装置を冬季使用する場合、部屋の中の空気が暖められ且つ湿度が高くなっていると、外気を部屋の中に給気した時に、給気グリルに水滴が結露して床面等に滴下するなどの問題がある。
【０００５】
また、冬季における部屋の換気の場合には、冷気が居住者に直接触れて寒さを感じさせるという問題もある。
【０００６】
本発明はこのような問題に着目してなされたものであり、冬季の換気において外気の給気により給気装置に結露が生じても水滴を床面等に落下させず、給気装置の外観の低下も防止可能であり、居住者に直接冷気を当てないで換気を行うことが可能な給気装置を提供することを目的とする。
【課題を解決するための手段】
【０００７】
上記課題を解決するために、本発明にかかる給気装置は、部屋の側壁若しくは窓等に装着され、外気を取り入れて給気口から室内に給気する給気装置において、前記給気口を有する給気グリルの前面部に沿って外気を案内した後、案内した外気を前記給気グリルの外周部から放出するカバーを設け、該カバーの下部に前記給気グリルの下部に延びて水滴を受ける受け部を形成したことを特徴とする。
【０００８】
本願の請求項２の給気装置は、請求項１の給気装置において、前記カバーは、前記給気グリルから取り外し可能とされていることを特徴とする。
【０００９】
本願の請求項３の給気装置は、請求項１、２の何れかの給気装置において、前記カバーに小孔が形成されていることを特徴とする。
【００１０】
本願の請求項４のカバーは、部屋の側壁若しくは窓等に装着され、外気を室内に給気する給気グリルを備えた給気装置に装着されるカバーであって、前記給気グリルから吐出される外気を前記給気グリルの表面に沿って案内した後、前記給気グリルの外周部から放出する前面部と、該前面部の下部から前記給気グリルの下部に延びて水滴を受ける受け部とを有することを特徴とする。
【発明の効果】
【００１１】
本発明の第１の給気装置及び本発明のカバーによれば、給気グリルの更に前面にカバーを設け、カバーによって給気グリルから吐出される外気を給気グリルの面に沿って移動させ、給気グリルの外周部の何れかから部屋の中に吐出させるので、外気が直接居住者に触れない。また、冬季において、外気がカバーを冷やすとき、カバーの裏面側に結露が生じても、その水滴は受け部に溜まるので、床面に滴下して床面を濡らす恐れが無い。カバーの受け部に受けられた水は日中の室温により蒸発し、溜まったままにはならない。
【００１２】
本発明の第２の給気装置によれば、カバーが給気グリルから取り外し可能とされることで、カバーを取り外して掃除が出来るほか、冬季以外の結露が生じる可能性がない季節では、カバーを取り外して使用することが出来、給気グリル前面より、外気を直接部屋の中に入れて換気することができる。
【００１３】
本発明の第３の給気装置によれば、カバーに小孔が開いていることによって、外気をカバーの正面から吐出させることも出来、小孔を外気が通過することによって、外気が暖められやすくなり、結露し難くなる。
【発明を実施するための最良の形態】
【００１４】
以下、本発明の実施の形態を図面に基づいて説明する。図１は実施の形態にかかる給気装置としての換気扇１の概略構成を示す。この換気扇１は、図６に示す建物の壁３の取付穴４に組み込まれるものであり、パイプファンとも言われるものである。図６に示すように、換気扇１を壁３に取り付けるときには、壁３に取付穴４を開口し、取付穴４にスリーブ５を取り付け、このスリーブ５内部に換気扇１を組み込む。
【００１５】
換気扇１は、スリーブ５内部に装着される給気筒部６と、給気筒部６の室内側の縁部に形成される鍔部７と、鍔部７の周縁部に装着される給気グリル８と、給気グリル８内部に装着されるフィルター９と、給気筒部６の内部に設置されるファンモーター１０と、ファンモーター１０の出力軸に取り付けられる給気ファン１１と、ファンモーター１０を支持する支柱部１２とを備えている。壁３の戸外側の壁面にはフード１３が装着されている。
【００１６】
給気通路を形成する給気筒部６及び給気グリル８は、プラスチックからなるものであり、両者はネジ等により着脱可能に組み付けられている。給気グリル８には空気を通すための給気口１４が多数形成されている。図１〜図４に示すように、給気グリル８の前面部には、給気グリル８を覆うカバー１５が、着脱可能に装着されている。
【００１７】
カバー１５は、図１、図２に示すように、給気グリル８の前側壁面部８Ｆに沿って略等間隔で広がる前面部１６と、給気グリル８の両側面部８Ｓ（図３参照）に接触する側面支持板部１７と、給気グリル８の下面部８Ｒを覆う受け部１８とを備えている。カバー１５の上板部１９は給気グリル８の上面部に平行とされている。上板部１９はカバー１５を給気グリル８の上面部８Ｕ（図３参照）に搭載する。
【００１８】
カバー１５は、アクリル等の透明体により透明色とされており、カバーそのものは目立たなくなっており、給気グリル８のデザイン性を損なわないように構成されている。
【００１９】
側面支持板部１７とカバー１５の側面部２０との間には、隙間が設けられており、給気グリル８の給気口１４から吐出される空気が給気グリル８の側面部８Ｓと、側面部２０の間を通過するようになっている。
【００２０】
また、受け部１８の凹部は下面部８Ｒの輪郭部より大きく形成されており、給気グリル８から落下する水滴を受けるようになっている。前面部１６には、この実施の形態においては、小孔２１が多数開口されている。左右一対の側面支持板部１７の間には換気扇１が保持され、換気扇１は一対の側面支持板部１７の間において左右に動かないように支持される。
【００２１】
カバー１５の前後長及び左右長は、給気グリル８の給気筒部６を除いた前後長及び左右長より大きく設定されており、カバー１５と給気グリル８との間に空気が通過可能な隙間が形成されるようになっている。
【００２２】
すなわち、給気グリル８の前面部８Ｆとカバー１５の前面部１６との間及び給気グリル８の両側面部８Ｓとカバー１５の側面部２０との間には、空気が通過する通路ＡＲ１（図４参照）が形成されている。この通路ＡＲ１は、カバー１５を給気グリル８に装着したときに、略「Ｕ」字形の平面形状となるように形成される。
【００２３】
また、カバー１５の前面部１６上端部と、給気グリル８の前面部８Ｆの上端部との間も空気が通過できる通路ＡＲ２とされており、この通路ＡＲ２からカバー１５の上方に外気が抜けるようになっている。
【００２４】
ファンモーター１０は交流モーター若しくは直流モータの何れかであり、上板部８Ｕ若しくは壁面等に設置されたスイッチ２２のオン・オフにより、商用電源と通電したり、通電遮断されたりする。ファンモーター１０を支持する支柱部１２は、ファンモーター１０のモータハウジングを囲むように保持する枠部（図示省略）と給気筒部６の内面に固定される３枚若しくは４枚の脚部を備えており、脚部は空気の流路に沿う板状に形成されて給気筒部６の内面にネジ止め等により固定されている。給気ファン１１はプロペラファン形状のものであり、壁３の戸外側のフード１３から空気を吸い込む方向に回転し、外気を室内に給気する。
【００２５】
フィルター９は、給気筒部６を通って吸い込まれる空気中の塵埃を捕獲して空気を濾過し、給気口１４から室内に新鮮な外気を供給する。
【００２６】
この実施の形態にかかる給気装置によれば、換気扇１の給気グリル８の前面にカバー１５を設け、カバー１５によって給気グリル８から吐出される外気を給気グリル８の前面部８Ｆに沿って移動させ、給気グリル８の外周部の何れかから部屋の中に吐出させるので、外気が直接居住者に触れることがなく、冬季の換気も快適に行うことができる。
【００２７】
また、冬季において、外気がカバー１５を冷やすとき、カバー１５の裏面側に結露が生じても、その水滴は受け部１８に溜まるので、床面に滴下して床面を濡らす恐れが無い。このカバー１５の受け部１８に受けられた水は日中の室温により蒸発し、溜まって床面等に滴下することがない。
【００２８】
さらに、カバー１５が給気グリル８から取り外し可能とされることで、カバー１５を取り外して掃除が出来るほか、冬季以外においてカバー１５を取り外して使用することが出来、外気を直接部屋の中に入れて換気することができる。
【００２９】
さらに、カバー１５に小孔２１が開いていることによって、外気をカバー１５の正面から吐出させることも出来、小孔２１を外気が通過することによって、外気が暖められやすくなり、結露し難くなる。しかも、換気扇１の外観の低下も防止可能であり、居住者に直接冷気を当てないで換気を行うことが可能である。
【００３０】
本発明の給気装置である換気扇１は、連続的又は断続的に常時外気を給気している。この給気した空気は、図７に示すようにドア下部に設けられたアンダーカット部Ｕやガラリ部Ｄを通して、排気用の換気扇３０の図示しないファンに導かれ、屋外に排気される。本発明の給気用の換気扇１と排気用の換気扇３０により、換気システム３１が構成され、この換気システム３１により住宅全体の換気対象部分の容積の所定換気回数（例えば０．５回／時間）を満たすように、連続的又は断続的に常時換気を行っている。この換気システムは、戸建て住宅だけでなく、マンションのような集合住宅に設置しても良い。
【図面の簡単な説明】
【００３１】
【図１】本願の実施の形態にかかる換気扇にカバーを装着した状態の斜視図。
【図２】図１のカバーの斜視図。
【図３】図１の換気扇の斜視図。
【図４】換気扇にカバーを装着した状態の平断面図。
【図５】換気扇にカバーを装着した状態の縦断面図。
【図６】換気扇を建物の壁面に装着した状態の断面図。
【図７】給気用の換気扇と排気用の換気扇により、換気システムを構成した図。
【符号の説明】
【００３２】
１  換気扇
３  壁面
８  給気グリル
１４  給気口
１５  カバー
１６  カバーの前面部
１７  側面支持板部
１８  受け部
１９  上板部
２０  側面部
２１  小孔
ＡＲ１、ＡＲ２  外気を通す通路
【図１】
2006029696.tif 000003
【図２】
2006029696.tif 000004
【図３】
2006029696.tif 000005
【図４】
2006029696.tif 000006
【図５】
2006029696.tif 000007
【図６】
2006029696.tif 000008
【図７】
2006029696.tif 000009